(57)【特許請求の範囲】
【請求項１】
遊技盤と、該遊技盤を覆うように開閉可能に設置されるガラス扉と、上記ガラス扉の下方に開閉可能に設置される上皿基板と、該上皿基板上に設置される上部受け皿と、を備えるパチンコ遊技機において、
上記ガラス扉を開放した場合に生じる四角形の空間の下辺に相当する位置に、左右に長尺で且つ中央側に向けて低く傾斜している傾斜面を備え、
上記傾斜面は、遊技球レールの上記遊技盤の下方の位置に形成されたファール口の真上の位置が最も低くなっているとともに、該傾斜面よりも裏面側に位置する上記遊技盤の下方に向かって傾斜しており、上記ガラス扉を閉止した場合には、該ガラス扉の下端部によって遊技球が載らないように覆われることを特徴とするパチンコ遊技機。
【請求項２】
遊技盤と、該遊技盤を覆うように開閉可能に設置されるガラス扉と、上記ガラス扉の下方に開閉可能に設置される上皿基板と、該上皿基板上に設置される上部受け皿と、上記上皿基板の下方に設置される下皿基板と、該下皿基板上に設置される下部受け皿と、を備えるパチンコ遊技機において、
上記ガラス扉及び上記上皿基板の少なくとも一方を開放した場合に生じる四角形の空間の下辺に相当する位置に、左右に長尺で且つ中央側に向けて低く傾斜している傾斜面を備え、
上記傾斜面は、上記上皿基板の上面又は上記下皿基板の上面に設けられ、中央正面側が最も低くなると共に、該上皿基板の上面から上記上部受け皿に向かって傾斜し又は該下皿基板の上面から上記下部受け皿に向かって傾斜しており、上記ガラス扉又は上記上皿基板を閉止した場合には、該ガラス扉の下端部又は該上皿基板の下端部によって遊技球が載らないように覆われることを特徴とするパチンコ遊技機。
【請求項３】
上記傾斜面は、パチンコ遊技機本体の部分よりも正面側に突出していることを特徴とする請求項２に記載のパチンコ遊技機。
【発明の詳細な説明】
【０００１】
【発明の属する技術分野】
本発明はパチンコ遊技機に関する。更に詳しく言えば、遊技盤面を覆うガラス扉を開けた際や上部受け皿が設置された上皿基板を開けた際に、遊技球がパチンコホールの床面に散らばりにくいパチンコ遊技機に関する。
【０００２】
【従来の技術】
現在、パチンコ遊技機においては、遊技盤を覆うガラス扉及び上部受け皿が設置された上皿基板はパチンコ遊技機本体に対して開閉可能に設置されている。これは、遊技中にパチンコ遊技機に不具合が生じた場合などパチンコ遊技機の点検の必要が生じた場合には、状況に応じてガラス扉を開けたり上皿基板を開けたりしてパチンコ遊技機の点検や復旧を行うためである。
【０００３】
【発明が解決しようとする課題】
しかし、遊技盤はその性質上、該遊技盤に設けられた釘や役物等に遊技球が引っ掛かる場合があり、点検等のためにガラス扉を開けると、遊技盤内に残っていた遊技球がホールの床面等に落下し散乱してしまう。
【０００４】
又、上皿基板に設けられた上部受け皿は、払い出される賞球を受けこれを遊技球発射装置に供給するためのものであり、同時に上皿基板自体も遊技球レールの正面側を覆っている。よって、点検等のために上皿基板を開けた場合にも、遊技球レールに残っている遊技球や、上部受け皿とパチンコ遊技機本体との接続部分に残っている遊技球が、ホールの床面等に落下し散乱してしまうこととなる。
【０００５】
本発明は、上記観点に鑑みてなされたものであり、点検等のためにガラス扉や上皿基板を開けた際にも、遊技球がパチンコホールの床面に散らばりにくいパチンコ遊技機を提供することを目的とする。
【０００６】
【課題を解決するための手段】
請求項１に記載のパチンコ遊技機は、遊技盤と、該遊技盤を覆うように開閉可能に設置されるガラス扉と、上記ガラス扉の下方に開閉可能に設置される上皿基板と、該上皿基板上に設置される上部受け皿と、を備えるパチンコ遊技機において、上記ガラス扉を開放した場合に生じる四角形の空間の下辺に相当する位置に、左右に長尺で且つ中央側に向けて低く傾斜している傾斜面を備え、上記傾斜面は、遊技球レールの上記遊技盤の下方の位置に形成されたファール口の真上の位置が最も低くなっているとともに、該傾斜面よりも裏面側に位置する上記遊技盤の下方に向かって傾斜しており、上記ガラス扉を閉止した場合には、該ガラス扉の下端部によって遊技球が載らないように覆われることを特徴とする。
ここで、「上記ガラス扉又は上記上皿基板を開放した場合に生じる四角形の空間の下辺に相当する位置」とは、例えば、（１）上皿基板を開放した場合には、この「四角形の空間」とは下皿基板上に生じる空間であり、この「下辺に相当する位置」とは下皿基板の上面を意味し、（２）ガラス扉を開放した場合には、この「四角形の空間」とはガラス扉の枠体内に生じる空間であり、この「下辺に相当する位置」とは枠体の下辺の上面を意味し、また（３）ガラス扉及び上皿基板の双方を開放した場合には、この「四角形の空間」とはガラス扉の収納空間を含み、下皿基板上に生じる空間であり、この「下辺に相当する位置」とは下皿基板の上面を意味する。
更に、上記「に向かって傾斜している」とは、斜面において、その斜面の目的対象物に至る方が下方であり他方が上方であるという傾斜状態を表すものである。
【０００７】
また、請求項２に記載のパチンコ遊技機は、遊技盤と、該遊技盤を覆うように開閉可能に設置されるガラス扉と、上記ガラス扉の下方に開閉可能に設置される上皿基板と、該上皿基板上に設置される上部受け皿と、上記上皿基板の下方に設置される下皿基板と、該下皿基板上に設置される下部受け皿と、を備えるパチンコ遊技機において、上記ガラス扉及び上記上皿基板の少なくとも一方を開放した場合に生じる四角形の空間の下辺に相当する位置に、左右に長尺で且つ中央側に向けて低く傾斜している傾斜面を備え、上記傾斜面は、上記上皿基板の上面又は上記下皿基板の上面に設けられ、中央正面側が最も低くなると共に、該上皿基板の上面から上記上部受け皿に向かって傾斜し又は該下皿基板の上面から上記下部受け皿に向かって傾斜しており、上記ガラス扉又は上記上皿基板を閉止した場合には、該ガラス扉の下端部又は該上皿基板の下端部によって遊技球が載らないように覆われることを特徴とする。
また、請求項２に記載のパチンコ遊技機において、上記傾斜面は、パチンコ遊技機本体の部分よりも正面側に突出しているものとすることができる。
尚、上記において、「正面側」とは、パチンコ遊技機が遊技者と向き合う側をいう。これに対して、「裏面側」とは、パチンコ遊技機において「正面側」の反対の側であり、パチンコ遊技機が島設備に取り付けられ遊技者からは見えない側をいう。
【０００８】
【発明の実施の形態】
以下、本発明のパチンコ遊技機を実施例により詳細に説明する。
図１は、パチンコ遊技機の正面図である。図２は、パチンコ遊技機の側面図である。図３は、パチンコ遊技機の平面図である。図４は、遊技盤の正面図である。図５は、上皿基板及び上部受け皿の正面図である。図６は、上皿基板及び上部受け皿の側面図である。図７は、上皿基板及び上部受け皿の平面図である。図８は、下皿基板及び下部受け皿の正面図である。図９は、下皿基板及び下部受け皿の側面図である。図１０は、下皿基板及び下部受け皿の平面図である。
【０００９】
〔実施例〕
（１）パチンコ遊技機の構成及び作用
本パチンコ遊技機は、図１に示すように、正面側に遊技盤１と、ガラス扉２と、上皿基板３と、上部受け皿４と、下皿基板５と、下部受け皿６と、遊技球発射レバー７１と、遊技球レール８と、を備えている。
【００１０】
図１〜３に示すように、遊技盤１はパチンコ遊技機の正面中央の上方よりに設けられており、その遊技盤１の下方から左側面及び上部にかけて遊技球レール８が設けられている。そして、その遊技球レール８の下部を覆うように上皿基板３が設けられており、更にその下方に下皿基板５が設けられている。この上皿基板３には上部受け皿４が、下皿基板５には下部受け皿６及び遊技球発射レバー７１がそれぞれ設けられている。
【００１１】
遊技盤１は、図１に示すようにパチンコ遊技機の正面中央の上方よりに設けられており、図４に示すように入賞口や釘、風車、アウト口等を備えている。そして、この遊技盤１の右下方から左側面及び上部にかけて遊技球レール８が設けられている。遊技球レール８の下端には遊技球発射装置７の槌７２が配置されており、遊技球レール８の途中、遊技盤１の下方の位置には、ファール口８１が設けられている。
【００１２】
遊技球発射装置７の槌７２によって発射された遊技球は、遊技球レール８によって誘導され、遊技盤１内に上方より落下されて、入賞口に入賞して賞球が払い出され又はアウト口に入る等の遊技が行われる。又、遊技球レール８上で遊技盤１の上部にまで達しなかった遊技球は、遊技球レール８に沿って落下し、図４に示すファール口８１から排出される。
【００１３】
その遊技盤１を覆うように図１に示すようなガラス扉２が設けられている。このガラス扉２は、枠体２１と窓体２２とからなる。
枠体２１は遊技盤１を囲むように配置され、遊技盤面よりも正面側に突出して設けられている。そしてこの枠体２１の下辺は、図５及び７に示すように、遊技盤１の下方に設けられた上皿基板３の上部に設けられている。ここで、図４に示すＬ−Ｌの線が、遊技盤１及び遊技球レール８に対する枠体２１の下辺の上面２１１の位置である。
【００１４】
この枠体２１の下辺の上面２１１は、図５〜７に示すように、裏面側に向けて傾斜がつけられている。そして、正面から見た状態では、わずかに左右が高くなっており、ファール口８１の真上の位置が最も低くなっている。以下、この傾斜部分（枠体２１の下辺の上面）を「上部傾斜面２１１」と呼ぶ。
一方、透明なガラス板をはめ込まれた窓体２２は枠体２１に対して左辺を軸として開閉可能に設けられており、遊技盤１を覆っている。この窓体２２によって、遊技盤１内の遊技球は遊技盤１内に封じ込められ、外部に落下するのを防がれている。
【００１５】
ガラス扉２の下方には、図１に示すように、上皿基板３が設けられている。この上皿基板３は、遊技球レール８の下端及び槌７２を覆うように設けられており、その正面側には、上部受け皿４が設けられている。そしてこの上皿基板３は、左辺を軸として全体が開閉可能に設けられている。又、この上皿基板３が遊技球レール８を正面側から覆っているため、遊技球レール８上を誘導される遊技球は外部に落下することがない。
【００１６】
上部受け皿４は、パチンコ遊技機内部に設けられた遊技球発射装置７に供給する遊技球を貯蔵するための受け皿である。この上部受け皿４は、その左寄りの位置に上皿基板３を貫通して設けられた上皿賞球払出路を備えており、右寄りの位置に同じく上皿基板３を貫通して設けられる遊技球供給路（図示せず）を備えている。この遊技球供給路は、上記遊技球レール８の下端に位置する槌７２に至るものである。
この上部受け皿４は、上皿賞球払出路（図示せず）から賞球としての遊技球の払出を受けこれを貯蔵し、遊技球供給路を通じてその貯蔵している遊技球を遊技球レール８の下端に位置する槌７２に供給する。そして、遊技球は槌７２により遊技盤１内に発射される。
【００１７】
上皿基板３の下方には、図１に示すように、下皿基板５が設けられており、その正面側には下部受け皿６が設けられている。この下部受け皿６は、上部受け皿４に入りきらなくなった遊技球を貯蔵するための受け皿である。
この下皿基板５の上面５１は図８及び１０に示すように、中央の下部受け皿６に向かって傾斜している。更に、図９に示すように、その斜面は同時にパチンコ遊技機の裏面側に向かって低くなるように傾斜している。そして、この下皿基板５の上面５１は、上皿基板３が設けられているパチンコ遊技機本体の部分よりも正面側に突出している。以下、この傾斜部分を「下部傾斜面５１」と呼ぶ。
【００１８】
下皿基板５上で下部受け皿６の右方に設けられる遊技球発射レバー７１は、パチンコ遊技機内部に設けられる遊技球発射装置７の一部である。遊技者がこの遊技球発射レバー７１を操作することで、槌７２によって遊技球が遊技盤１内に発射され、遊技が行われる。
【００１９】
（２）本実施例のパチンコ遊技機の効果
本実施例のパチンコ遊技機は、上部傾斜面２１１を有しているため、ガラス扉２が開けられた場合にも、遊技盤１から落下した遊技球のうち上部傾斜面２１１上に落下したものは、その傾斜した上面を転がって遊技球レール８のファール口８１に落下することとなる。
又、上部傾斜面２１１上に落下した遊技球であっても遊技球レール８のファール口よりも右側の部分に落下するという場合も考えられるが、いずれにしても、遊技盤１から落下する遊技球はパチンコ遊技機内部に回収されることとなり、ガラス扉を開けた際に遊技球があちこちに散乱するのを防止することができる。
【００２０】
又、本実施例のパチンコ遊技機においては、上皿基板３の上部に設けられた枠体２１の下辺に上部傾斜面２１１が設けられているため、遊技盤１から落下する遊技球を直下で捕らえることができる。このため、遊技球は落下速度が低速のうちに上部傾斜面２１１上に至るので、高速で当たった場合のように高く跳ね返り床面に落下してしまうことがない。
【００２１】
一方、遊技盤１のガラス扉２が開けられた場合だけでなく、上皿基板３が開けられた場合にも、上部受け皿３が遊技球の払出を受ける上皿賞球払出路や、槌７２に遊技球を供給する遊技球供給路が途中で分断されることとなるため、分断された通路から遊技球が落下する。
又、遊技球レール８の槌７２近辺にある遊技球や、ガラス扉２が開けられ遊技盤１から落下して、上部傾斜面２１１上を転がって遊技球レール８の槌７２近辺に収容された遊技球も、上皿基板３が開けられた場合には外部に落下することとなる。
【００２２】
しかし、本実施例のパチンコ遊技機は下部傾斜面５１を有しているため、ガラス扉２や上皿基板３が開けられた場合にも、下部傾斜面上５１に落下した遊技球は、その傾斜した上面を転がって下部受け皿６に落下することとなる。よって、ガラス扉２や上皿基板３を開けても落下する遊技球は下部受け皿に集められることとなり、あちこちに散乱するのを防止することができる。
また、下部傾斜面５１は中央の下部受け皿６に向かって傾斜しているだけではなく、図９に示すように、遊技機の裏面側に向かって低くなるように傾斜しているので、遊技球が下部傾斜面５１の左右側から落下することを防止することができる。更に、遊技球は、下部傾斜面５１上を転がる際に下部傾斜面５１及び遊技盤面の２面によって支えられるため、容易に転がることができる。このため、下部傾斜面５１の中央へ向かう傾斜面の角度を低くすることができる。
【００２３】
尚、本発明は、上記具体的な実施例に示すものに限らず、目的、用途に応じて本発明の範囲内で種々変更した別の実施の形態をとることができる。
例えば、本実施例においては、上部傾斜面２１１は、ファール口８１に向けて傾斜しているものとしたが、これを、上部受け皿４に向けて傾斜するものとすることもできる。その場合には、ガラス扉２を開けた際に遊技盤１から落下する遊技球は、上部受け皿４に回収されることとなる。この態様は、請求項２記載のパチンコ遊技機に相当するものである。
【００２４】
又、上部傾斜面が上部受け皿４に向けて傾斜する態様において、上部傾斜面を裏面側に傾かせておき、上部受け皿４上に到達する端部のみ正面側、即ち上部受け皿４に傾かせることもできる。そうすることで、上部傾斜面を転がる遊技球は途中で落下することなく上部傾斜面上を転がっていき、スムースに上部受け皿４に落下することとなる。
【００２５】
更に、上部傾斜面を裏面側に傾かせておく態様だけでなく、凹断面形状を有する樋状とすることもできる。かかる態様においては、ファール口８１又は上部受け皿４に至る端部のみファール口８１側又は上部受け皿４側に傾斜させることで、スムースに遊技球を落下させることができる。
【００２６】
又、上部傾斜面及び下部傾斜面をパチンコ遊技機の幅方向の一部分のみに設けることもでき、又は正面側に突出する寸法をパチンコ遊技機の幅方向の位置に応じて変えることもできる。例えば、ガラス扉２又は上皿基板３がそれぞれ軸支されている側と反対側において、上部傾斜面及び下部傾斜面の正面側に突出する寸法を大きくすることで、ガラス扉２又は上皿基板３を開ける際に最初に開く側から落下する遊技球を効果的に捕らえることができる。
【００２７】
そして、下部傾斜面については、上皿賞球払出路、遊技球供給路又は遊技球レール８の端部の下側にのみ設けることもできる。そうすることで、落下する遊技球の散乱防止という目的を十分に達成することができ、かつ余分な構造により遊技の邪魔になることもない。
【００２８】
【発明の効果】
請求項１に記載のパチンコ遊技機は、上記ガラス扉を開放した場合に生じる四角形の空間の下辺に相当する位置に、左右に長尺で且つ中央側に向けて低く傾斜している傾斜面を備える。
従って、本パチンコ遊技機において、ガラス扉が開けられた際に落下する遊技球のうち上記傾斜面上に落下したものは、この傾斜面上を転がって最も低い部分に集められ、ここから所定の遊技球収容場所（下部受け皿等）に集めることができる。そのため、ガラス扉を開けた際に落下する遊技球があちこちに散乱するのを防ぐことができる。
また、傾斜面は、上記ガラス扉の枠体の下辺であって長尺部の上面に設けられ、更に、遊技球レールの遊技盤の下方の位置に形成されたファール口の真上の位置が最も低くなっているとともに、該傾斜面よりも裏面側に位置する遊技盤の下方に向かって傾斜している。従って、ガラス扉を開けた際に落下する遊技球のうちこの傾斜面上に落下する遊技球は、この傾斜面を転がって裏面側のファール口に落下することとなる。そのため、ガラス扉を開けても遊技盤から落下する遊技球はパチンコ遊技機内部に回収されることとなり、あちこちに散乱するのを防止することができる。
また、傾斜面は、ガラス扉を閉止した場合には、該ガラス扉の下端部によって遊技球が載らないように覆われるため、見栄えをよくすることができる。
【００２９】
請求項２に記載のパチンコ遊技機は、上記ガラス扉又は上記下皿基板を開放した場合に生じる四角形の空間の下辺に相当する位置に、左右に長尺で且つ中央側に向けて低く傾斜している傾斜面を備える。
従って、本パチンコ遊技機において、ガラス扉又は上皿基板が開けられた際に落下する遊技球のうち上記傾斜面上に落下したものは、この傾斜面上を転がって最も低い部分に集められ、ここから所定の遊技球収容場所（上部受け皿、下部受け皿等）に集めることができる。そのため、扉体を開けた際に落下する遊技球があちこちに散乱するのを防ぐことができる。
また、傾斜面は、下皿基板の上面に設けられ、中央正面側が最も低くなると共に、下部受け皿に向かって傾斜している。従って、落下する遊技球のうちこの傾斜面上に落下する遊技球は、この傾斜面を転がって下部受け皿に落下することとなる。そのため、上皿基板更にはガラス扉を開けても落下する遊技球は下部受け皿に集められることとなり、あちこちに散乱するのを防止することができる。
【００３０】
また、傾斜面は、上皿基板の上面に設けられ、中央正面側が最も低くなると共に、上部受け皿に向かって傾斜している。即ち、この傾斜面は上部受け皿の開口に向けて傾斜している。従って、ガラス扉を開けた際に落下する遊技球のうちこの傾斜面上に落下する遊技球は、この傾斜面を転がって上部受け皿に落下することとなる。そのため、ガラス扉を開けても落下する遊技球は上部受け皿に集められることとなり、あちこちに散乱するのを防止することができる。
【００３１】
請求項３に記載のパチンコ遊技機において、設けられている傾斜面は、パチンコ遊技機本体の部分よりも正面側に突出しているため、ガラス扉又は上皿基板を開ける際に最初に開く側から落下する遊技球を効果的に捕らえることができる。
【図面の簡単な説明】
【図１】  本実施例に係るパチンコ遊技機の正面図である。
【図２】  本実施例に係るパチンコ遊技機の側面図である。
【図３】  本実施例に係るパチンコ遊技機の平面図である。
【図４】  本実施例に係る遊技盤の正面図である。
【図５】  上皿基板及び上部受け皿の正面図である。
【図６】  上皿基板及び上部受け皿の側面図である。
【図７】  上皿基板及び上部受け皿の平面図である。
【図８】  下皿基板及び下部受け皿の正面図である。
【図９】  下皿基板及び下部受け皿の側面図である。
【図１０】  下皿基板及び下部受け皿の平面図である。
【符号の説明】
１；遊技盤、２；ガラス扉、２１；枠体、２１１；上部傾斜面、２２；窓体、３；上皿基板、４；上部受け皿、４１；上皿賞球払出路、５；下皿基板、５１；下部傾斜面、６；下部受け皿、７；遊技球発射装置、７１；遊技球発射レバー、７２；槌、８；遊技球レール、８１；ファール口。
【図１】
0004224630.tif 000002
【図２】
0004224630.tif 000003
【図３】
0004224630.tif 000004
【図４】
0004224630.tif 000005
【図５】
0004224630.tif 000006
【図６】
0004224630.tif 000007
【図７】
0004224630.tif 000008
【図８】
0004224630.tif 000009
【図９】
0004224630.tif 000010
【図１０】
0004224630.tif 000011